(57)【要約】      （修正有）【課題】身体洗浄と血行促進・健康増進の両方を兼ねた身体洗浄用具を提供する。【解決手段】本考案は、汚れを落とす洗浄と血行促進の両方を１つの洗浄健康用具で実現したものであるとともに、その洗浄健康用具に柄１１１を取り付け、背中などの身体の後を洗浄可能としたものである。すなわち、石鹸や洗剤をつけて泡立ちを良くし身体の汚れを落とす洗浄部材（ボールネット１４１と呼ぶ）と皮膚をこすって刺激し血行を促進しながら健康増進をはかる血行促進部材を１つに組合せ、さらに持ち手（把手）となる柄を取り付けた身体洗浄健康用具である。【選択図】図１
0003203354.tif 000002
【実用新案登録請求の範囲】
【請求項１】
柄、前記柄の一端に垢すりおよび身体洗浄用泡立てネットを取り付けた身体洗浄用具。
【請求項２】
前記柄の一端がＵ字形状をし、当該Ｕ字部分の内側にスポンジが分離可能に嵌合し、前記Ｕ字部分およびスポンジに袋状の垢すり（垢すり用袋）を被せており、前記柄の他端は棒状形状の持ち手部分であることを特徴とする、請求項１に記載の身体洗浄用具。
【請求項３】
Ｕ字形状の中央部分にスポンジ支持用の支持棒が取り付けられており、スポンジ部分に形成された貫通孔に支持棒を挿入することにより、スポンジ部分を支持することを特徴とする、請求項２に記載の身体洗浄用具。
【請求項４】
垢すり用袋の開口部に閉じ紐が備わり、前記Ｕ字部分およびスポンジに垢すり用袋を被せて、垢すり用袋の開口部を閉じ紐で閉じることができることを特徴とする、請求項２または３に記載の身体洗浄用具。
【請求項５】
前記垢すり用袋の閉鎖部に身体洗浄用泡立てネットが取り付けられていることを特徴とする、請求項１〜４のいずれか１項に記載の身体洗浄用具。
【請求項６】
前記垢すり用袋の閉鎖部に存在する開口部に身体洗浄用泡立てネットに取り付けた接続紐を入れて、身体洗浄用泡立てネットを前記垢すり用袋の閉鎖部に接続することを特徴とする、請求項５に記載の身体洗浄用具。
【考案の詳細な説明】
【技術分野】
【０００１】
本考案は、身体を洗浄しかつ皮膚を刺激して血行を促進し健康増進をはかる身体洗浄健康用具に関する。
【背景技術】
【０００２】
身体を洗浄する用具として手ぬぐい（タオル）や洗浄用スポンジが使用されている。また洗剤や石鹸の泡だてを促進するポリエチレン等の化学繊維布製で作製されたタオルや網状ネット等も使用されている。さらに、垢を良く取り、皮膚を刺激して身体鍛錬を目的としたヘチマや動物毛ブラシ等も市販されている。（特許文献１）
【先行技術文献】
【特許文献】
【０００３】
【特許文献１】特開２００９−１１９２３４
【考案の概要】
【考案が解決しようとする課題】
【０００４】
手ぬぐい、洗浄用スポンジ、泡立て促進タオル等は皮膚表面の汚れを取るには効果があるものの、皮膚の皺の間にある垢やしつこい汚れを除去するには不十分である。また、ヘチマや動物毛ブラシ等は皮膚の皺の間にある垢やしつこい汚れの除去および皮膚刺激には効果があるものの、柔らかい肌には刺激が大きすぎるためそれだけで使用するには問題があり、通常の手ぬぐい等との併用が必要であるから、両方用意する必要がある。そこで、両方の目的を実現するために、あかすり部を備えたタオルが提案されている。（特許文献１）このあかすり部具備タオルは、柔軟性を有する帯状タオルの長さ方向の中央部に多孔質弾性体からなるあかすり部を備えており、あかすり部は長さ方向に開口したＣ字形をした筒状体となっているものである。このあかすり部具備タオルは、柔らかいタオル部と比較的硬いあかすり部の両方を有しているため、洗浄部位に応じて使い分けができるという利点はあるが、あかすり部はタオルの中央部に縫着または接着剤で結着しているので、使用中に結着部が摩耗により切れてしまい、タオル全体が損傷しタオル全体を交換しなければならないという問題がある。また、あかすり部は筒状のＣ字形状をしているため、筒状内部に皮膚垢や汚れが付着して清潔感に問題がある。さらに、タオル部の長さが一定のため、身体の大きさに合わせたサイズを用意しなければならず、コスト増の問題が発生する他に使用者がサイズを選択する必要があるという煩わしさがある。さらに背中を洗うには両手を使用する必要がある。
【課題を解決するための手段】
【０００５】
本考案は、汚れを落とす洗浄と血行促進の両方を１つの洗浄健康用具で実現したものであるとともに、その洗浄健康用具に柄を取り付け、背中などの身体の後を片手で洗浄可能としたものである。すなわち、石鹸や洗剤をつけて泡立ちを良くし身体の汚れを落とす洗浄部材（泡立てネットと呼ぶ）と皮膚をこすって刺激し血行を促進しながら健康増進をはかる血行促進部材を１つに組合せ、さらに持ち手（把手）となる柄を取り付けた身体洗浄健康用具である。具体的には、以下の特徴を有する。
（１）本考案は、柄、前記柄の一端に垢すりおよび身体洗浄用泡立てネットを取り付けた身体洗浄用具であり、前記柄の一端がＵ字形状をし、当該Ｕ字部分の内側にスポンジが分離可能に嵌合し、前記Ｕ字部分およびスポンジに袋状の垢すり（垢すり用袋）を被せており、前記柄の他端は棒状形状であり片手で持つことができることを特徴とする身体洗浄用具である。
（２）本考案は、Ｕ字形状の中央部分にスポンジ支持用の支持棒が取り付けられており、スポンジ部分に形成された貫通孔に支持棒を挿入することにより、スポンジ部分を支持することができる身体洗浄用具であり、垢すり用袋の開口部に閉じ紐が備わり、前記Ｕ字部分およびスポンジに垢すり用袋を被せて、垢すり用袋の開口部を紐で閉じることができることを特徴とする。
（３）本考案は、前記垢すり用袋の閉鎖部に身体洗浄用泡立てネットが取り付けられており、前記垢すり用袋の閉鎖部に形成された穴部に身体洗浄用泡立てネットに取り付けた接続紐を入れて、身体洗浄用泡立てネットを前記垢すり用袋の閉鎖部に接続することを特徴とする。
【考案の効果】
【０００６】
本考案の身体の汚れを落とす泡立てネットと皮膚を刺激し血行を促進する血行促進部材（垢すり）の両方を１つにしているので、身体洗浄と健康増進の一挙両得を１つの洗浄健康用具で実現できる。従って、別々に使い分けする必要がなく１連の洗浄で行なうことができるので、身体洗浄の効率が良く。かつ健康増進をはかることができる。用具もそれぞれ揃える必要がなく、スペースも取らず、経済的である。泡立てネットと血行促進部材はひもで連結しているだけなので、簡単な構造であり、交換も簡単である。特に個々の部材が消耗したり損傷しても、全体を交換する必要がなく、損傷した部材だけを交換できるので、交換費用が安い。泡立てネットと血行促進部材は柄に備わっているので、柄の持ち手棒を手で持って背中など通常手では届かない身体部位にも届かせることができ、しかも持ち手棒を片手で確実に持てるので、背中を洗浄するときも力を適度に加えることができ、確実な背中の洗浄をすることができる。
【０００７】
泡立てネットはプラスチック製のネットを自由に丸めているので、花模様などの形状にもなり心地良さを増大できる。また、泡立てネットや血行促進部は種々の色彩を採用できるので、使用者の好みに合わせた色を作製できる。泡立てネットは材質も種々選択できるので、泡立ち程度に応じて、あるいは膚触りの度合に応じて適宜採用できる。血行促進部も種々の材質を採用できるので、洗浄の仕方に応じて適宜選択できる。２つの泡立てネットの材質や色も変更可能なので、目的に応じた選択ができ自由度が大きい。柄の片側はＵ字形状をしており、スポンジ等の柔軟材料や金属や軽石等の硬い部材もを簡単に装着できる。しかも摩耗したり損傷したり、或いは別のものと交換するのも容易である。本考案は、以上のように種々のメリットのある優れた身体洗浄健康用具である。
【図面の簡単な説明】
【０００８】
【図１】図１は、本考案の身体洗浄用具の完成図（写真）を示す図である。
【図２】図２は、本考案の柄の部分（全体）を示す図であり、
【図３】図３は、図２に示す柄の部分１１０のＵ字形状のスポンジ把持部分１１３に納めるスポンジ部分１２０を示す図である。
【図４】図４は、図２に示す柄の部分１１０のＵ字形状のスポンジ把持部分１１３の支持棒１１４を図３に示すスポンジ部分１２０のスポンジ本体１２１の貫通孔１２２に挿入して、スポンジ本体１２１のＵ字形状のスポンジ把持部分１１３に嵌め込んだ状態を示す図である。
【図５】図５は、垢すり用袋カバーを示す図である。
【図６】図６は、ボールネット、垢すり用袋カバー付きスポンジ部分および柄の部分の組合せ体を結合した、本考案の身体洗浄健康用具を示す図である。
【図７】図７は、網目状ボールネットを作製する方法を示す図である。
【考案を実施するための形態】
【０００９】
本考案は、柄の先（一端）に垢すりおよび身体洗浄用泡立てネット（ボールネット）を取り付けた身体洗浄用具であり、柄を掴んで片手で背中を洗浄できるものである。しかも組立てが容易であり、垢すりやボールネットが消耗したり破損したりした時に、容易に新品と交換できる。また、種々のデザインや形状の垢すりやボールネットとも交換できるため、毎日楽しみながら身体洗浄できる。
【００１０】
図１は、本考案の身体洗浄用具の完成図（写真）を示す図で、実施例である。持ち手である柄（の持ち手部）１１１の先（一端）に垢すり部１３１が取り付けられ、垢すり部１３１の先にボールネット１４１が取り付けられている。垢すり部１３１はひも（口閉じ紐）１３３および１３４で柄に縛り付けて固定されている。この身体洗浄用具を構成する垢すり部１３１、ボールネット１４１および柄１１１は分解可能であり、またそれらを組立て可能である。ボールネット１４１は、高分子製のネットを丸めるか、折り畳んだりしてボール状（或いは、塊状）にしたもので、網目状ボールネットや身体洗浄用泡立てネットとも呼ぶ。ボールネットと呼んでいるが、網目状ネットは折り畳んだり、丸めたりできるので、ボール状以外の種々の形状にすることができる。この網目状ボールネットは、石鹸や洗浄液や洗剤などをつけて泡立たせて身体の汚れや垢を効果的に取るためのもので、本明細書では泡立てネットとも記載する。柄の他端には吊るし紐通し用の穴１４５があいていて、その穴に吊るし紐１４６をつけて、洗面所や風呂場等の壁などにかけておくことができる。図１では、柄１１１の持ち手部分は掴みやすいように流線型等の曲線（面）形状をしているが、細長い直方体形状でも良いし、細長い円柱形状や楕円柱等の曲面柱形状でも良い。
【００１１】
垢すり部１３１は、皮膚を刺激し血行を促進する繊維状部材（血行促進部材とも呼ぶ）で表面が作製されたものである。垢すり１３１は、網目状ボールネット１４１より比較的硬い材料で作製され、きめも粗くなっており、身体の表面の老化した角質（老廃物、余分な皮脂等）を落としたり、皮膚を刺激して皮膚呼吸と血行を促進させ、さらに肌のターンオーバー（皮膚の細胞の生まれ変わりや新陳代謝）を促したりして、健康増進に寄与できる。血行促進部材は、垢すりの効果もあるので、あかすりを含むものである。（本考案では、この血行促進部のことを垢すり部と呼ぶ）血行促進部材は、たとえば、綿、麻、絹、へちま等の天然樹脂、ナイロン、ポリエステル、レーヨン等の高分子繊維、軽石、木材、陶磁器、軽金属、これらの混合体等から作製できる。垢すり部１３１の形状は、たとえば表面が凹凸形状、肌理の粗い繊維で、三角形状、矩形状、多角形状、球形、楕円形状など種々採用できる。肌理の粗い繊維を表面に持つ袋状にし、その袋内に軽石を入れたものも使用できる。また、肌理の粗い繊維の布や袋で、柔軟性のあるプラスチック部材を包んでも良い。さらにたわしやスポンジやブラシ状のものも採用可能である。これらは、皮膚を刺激して血行を促進して健康増進に役立つ。
【００１２】
以下に組立て前の状態および組立て中の状態について順を追って説明する。
図２は、本考案の柄の部分１１０を示す図であり、４面図｛平面図１１０（１１０−１）、正面図１１０（１１０−２）、左側面図１１０（１１０−３）、右側面図１１０（１１０−４）｝で示す。他の２面図、すなわち、底面図は平面図１１０（１１０−１）と同じであり、背面図は正面図１１０（１１０−２）と同じであるので、省略している。柄の部分１１０は、手で掴む部分である棒状部分（持ち手部分）１１１、Ｕ字形状のスポンジ把持部分１１３、スポンジ把持部分１１３を棒状部分１１１に接続する際の補強部材１１２、スポンジを支持する支持棒１１４から構成される。柄の持ち手部分１１１は直方体状に記載しているが、手で持ちやすいように曲線（曲面）形状でも良い。持ち手部分１１１の他端には吊るしひも等を付けやすいように穴を形成しても良い。柄の部分の材料は、木材、プラスチック、金属などであるが、それぞれの部分を異なる材料で構成することができる。たとえば、持ち手部分１１１やＵ字部分は木材、支持棒や補強部材１１２はプラスチックとしても良い。尚、補強部材１１２はなくても十分な強度を保持できれば省略しても良い。
【００１３】
図３は、図２に示す柄の部分１１０のＵ字形状のスポンジ把持部分１１３に納めるスポンジ部分１２０を示す図であり、４面図｛平面図１２０（１２０−１）、正面図１２０（１２０−２）、左側面図１２０（１２０−３）、右側面図１２０（１２０−４）｝で示す。他の２面図、すなわち、底面図は平面図１２０（１２０−１）と同じであり、背面図は正面図１２０（１２０−２）と同じであるので、省略している。スポンジ部分１２０の本体１２１の形状は平面図が長円形状（長方形の短辺両端に半円形を合わせた形状で、角丸長方形とも言う）の柱状であり、短辺両端側面の中央に貫通孔１２２が形成され、その貫通孔１２２に支持棒１１４が挿入されるようになっているので、たとえば、支持棒挿入孔または支持棒挿通孔と呼んでも良い。尚、スポンジだけでなく、軽石や他の材料でも使用できる。
【００１４】
図４は、図２に示す柄の部分１１０のＵ字形状のスポンジ把持部分１１３の支持棒１１４を図３に示すスポンジ部分１２０の本体１２１の貫通孔１２２に挿入して、スポンジ本体１２１のＵ字形状のスポンジ把持部分１１３に嵌め込んだ状態を示す図であり、４面図｛平面図１３０（１３０−１）、正面図１３０（１３０−２）、左側面図１３０（１３０−３）、右側面図１３０（１３０−４）｝で示す。他の２面図、すなわち、底面図は平面図１２０（１２０−１）と同じであり、背面図は正面図１２０（１２０−２）と同じであるので、省略している。スポンジ本体１２１の貫通孔１２２の大きさは支持棒１１４が挿入できる程度のサイズがあれば良い。スポンジ本体１２１は弾力性があるので、貫通孔１２２の大きさは支持棒１１４の太さより少し小さめに形成されていても、支持棒１１４を挿入することはできる。また、貫通孔１２２の大きさを支持棒１１４の太さよりかなり大きめに形成すると、スポンジ本体１２１が動くので好ましくないが、そのようにすることもできる。
【００１５】
スポンジ本体１２１の短辺側の半円形部分の大きさは、スポンジ把持部分１１３のＵ字形状の湾曲部分と同程度の形状か少し大きめに形成することによって、スポンジ本体１２１がスポンジ把持部分１１３のＵ字形状の湾曲部分に嵌め込んで動かないようできる。スポンジ本体１２１がスポンジ把持部分１１３のＵ字形状の湾曲部分より大きい場合でも、スポンジ本体１２１は柔軟性があるので、スポンジ把持部分１１３がスポンジ本体１２１の内側に食い込んで固定できる。支持棒１１４の長さは貫通孔１２２の長さよりも長くないようにすることが望ましい。支持棒１１４の長さが貫通孔１２２の長さよりも長いと支持棒１１４の先端部分がスポンジ本体１２１の外側に出てしまい、洗浄しているときに身体を傷つける恐れがある。ただし、後で示すようにスポンジ本体１２１の貫通孔１２２の他端（図４では左側）はボールネットが取り付けられるので、実際上は少し出ていても実用上は、問題は少ない。支持棒１１４の長さが貫通孔１２２の長さよりも短すぎると、スポンジ本体１２１の他端（図４では左側）の支持棒１１４がない部分が曲がり易くなる。従って、支持棒１１４の長さは貫通孔１２２の長さと同程度か少し短めに形成するのが良い。
【００１６】
支持棒１１４はスポンジ把持部分１１３の厚み方向の中央部分に配置され、また貫通孔１２２はスポンジ本体１２１の厚み方向の中央部分に配置されている。支持棒１１４および貫通孔１２２は、スポンジ把持部分１１３およびスポンジ本体１２１の厚み方向の中央部分に配置される。スポンジ把持部分１１３の厚みをＴ１、スポンジ本体１２１の厚みをＴ２としたとき、Ｔ２＞Ｔ１となるようにすることが望ましい。スポンジ把持部分１１３は変形しにくく硬いので、Ｔ２＞Ｔ１とすることによって、スポンジ把持部分１１３が身体へ接触しないようにすることができる。スポンジ本体幅Ｗ２は、スポンジ把持部分１１３の最大幅Ｗ１よりも大きくする（Ｗ２＞Ｗ１）ことによって、スポンジ把持部分１１３をスポンジ本体で被うことができるので、幅方向においてもスポンジ把持部分１１３が身体へ接触しないようにすることができる。スポンジ本体１２１は柔軟性があるので、Ｗ２＞Ｗ１であってもスポンジ本体１２１がスポンジ把持部分１１３のＵ字部分へ納めることができる。図４における柄（の持ち手部分）１１１の長さＬ３は、50mm〜500mm、好適には150mm〜300mmである。柄（の持ち手部分）１１１の幅Ｗ３は、10mm〜50mm、好適には20mm〜40mmである。柄（の持ち手部分）１１１の厚みＴ３は、5mm〜30mm、好適には10mm〜20mmである。柄のＵ字部分１１３については、長さＬ１について、50mm〜500mm、好適には75mm〜150mmであり、幅Ｗ１について、50mm〜150mm、好適には90mm〜130mmであり、（Ｕ字部分の幅Ｗ４について、5mm〜25mm、好適には10mm〜20mm）、厚みＴ１についてはＴ３と同程度である。スポンジ本体１２については、長さＬ２について、60mm〜600mm、好適には80mm〜160mmであり、幅Ｗ２については、35mm〜150mm、好適には85mm〜130mmであり、厚みＴ２については10mm〜100mm、好適には20mm〜70mmである。
【００１７】
尚、スポンジ本体１２１の円形部分の形状はスポンジ把持部分１１３のＵ字形状の部分と形状が近似している方が、スポンジ把持部分１１３のＵ字部分へのおさまりが良い。図では、長円形状のスポンジを示したが、直方体状、円柱、球状、楕円状など種々の形状を取ることもできる。ただし、後に示すように、身体洗浄健康用具を使用するときは、垢すり用の袋カバー（垢すり用袋カバー）で図４に示す組合せ体を被うので、実際は身体に接触するのは垢すり用袋カバーであるから、スポンジ把持部分１１３を被う垢すり用袋カバーを使って硬い刺激を身体へ与えることもできる。たとえば、スポンジの代わりに軽石や、金属製物体、セラミック体、各種セラミック体も使用できる。尚、スポンジとは内部に細孔が多数空いた多孔質の柔軟な物質であり、スポンジ材料として、たとえばポリウレタン等の合成樹脂、海綿質繊維等を用いた天然スポンジ、メラミン樹脂を原料としたスポンジ、ゴムを原料としたゴムスポンジが挙げられる。また、ヘチマやたわし材料（ヤシ繊維、シュロ繊維、金属製（たとえば、鉄・ステンレス・真鍮）、ナイロン、アクリル）等も使用できる。
【００１８】
図５は、垢すり用袋カバーを示す図である。図５（ａ）は垢すり用袋カバー単体の図であり、図５（ｂ）は、スポンジ部分および柄の部分の組合せ体に垢すり用袋カバーを被せた状態を示す図である。垢すり用袋カバー１３１は、表側が垢すり用の布地で作製された袋状をしている。垢すり用袋カバー１３１の一方の側は開口しており（開口部１３６）、開口部の布は一部折りたたまれて閉じ紐通し用穴１３２が形成され、口閉じ紐（縛り紐）１３３および１３４がその閉じ紐通し用穴１３２に挿通されている。口閉じ紐（縛り紐）１３３および１３４は1本の連続した紐であり、外側に出た一端部１３３および他端部１３４を引張って袋の開口部１３６を閉じるとともに縛ることができる。垢すり用袋カバーの他方の閉じた側（垢すり用袋カバーの閉鎖部）の中央部にはボールネットに連結した紐（紐の大きさは0.1mm〜10mm）を通せる程度の穴１３７が空いている。
【００１９】
垢すり用袋カバー１３１の開口部からスポンジ部分および柄の部分の組合せ体のスポンジ部分およびスポンジ把持部分１１３および補強部分１１２を入れて、口閉じ紐（縛り紐）１３３および１３４を引張り開口部１３６閉じて柄の棒状部分に縛り付けることにより、垢すりを付けた柄（垢すり棒）１３５を作製できる。（図５（ｂ））垢すり用袋カバー１３１の表面は血行促進部材で形成されており、皮膚についた汚れをこすり落とすことができるとともに、皮膚を刺激して血行を促進して健康増進に役立つ。垢すり用袋カバー１３１の内側の大きさは、中に納めるスポンジ本体１２１およびスポンジ把持部分１１３（および補強部材１１２が付いている場合は補強部材１１２）を入れることができる程度の大きさが必要である。垢すり用袋カバー１３１は柔軟性がある材料が良く、上記スポンジ本体等のサイズより小さめに作製し、スポンジ本体等を収納した時にピッタリと納まることが望ましい。
【００２０】
図６は、ボールネット、垢すり用袋カバー１３１付きスポンジ部分および柄の部分の組合せ体を結合した、本考案の身体洗浄健康用具を示す図である。すなわち、図５（ｂ）に示すスポンジ部分および柄の部分の組合せ体に垢すり用袋カバー１３１を被せた垢すり棒にさらにボールネット１４１を結合している。ボールネット１４１には接続ひも１４２および１４３が取り付けられており、これらの接続ひも１４２および１４３を垢すり用袋カバー１３１の穴１３７より内側に通す。（図６（ａ））これらの接続ひも１４２および１４３を引張ることにより、垢すり用袋カバー１３１の穴部１３７にぴったりと付けることによって、ボールネット１４１、垢すり用袋カバー１３１付きスポンジ部分および柄の部分の組合せ体が結合した状態になる。（図６（ｂ））接続ひも１４２および１４３は柄の棒状部分に縛り付けることにより、ボールネット１４１が組合せ体から離れないようにすることができる。尚、接続ひも１４２および１４３は垢すり用袋カバー１３１の内側に納めて（完成体の）外側から見えないようにすることもできる。この図６（ｂ）は図１に示すものと同じ状態（本考案の完成体）である。
【００２１】
ボールネット（泡立てネットなどとも言う）は、たとえばポリエチレンをポリエステルの布で覆った二層構造となっており、やわらかく膚にやさしい。しかも外皮であるポリエステル布の肌理を調節して摩擦度合を変化させて血行促進効果を高めるようにしている。泡立てネット部は、球形状にまるめられていても、ネット状であり、しかも素材が低密度ポリエチレン（ＬＤＰＥ）であるから、内部の空間はかなり大きいので、石鹸の泡立ちは大きく、石鹸使用量が通常の木綿タオルを使用するよりも少なくすることができるとともに、石鹸を水で容易に洗い流すことができ水使用量も少なくで済む。また、低密度ポリエチレンはやわらかいので膚への刺激は弱く損傷を与えることもない。さらに、泡立てネット部はフワフワ感があり花模様を連想させる。低密度ポリエチレンは種々の色（ピンク、赤、水色、青、緑、黄色等）で着色できるので、使用者の好みに合わせた色彩を選定でき、使用者や看者に心地良さや爽快感を与える。
【００２２】
図７は、網目状ボールネットを作製する方法の一例を示す図である。外側面がネット状で、内側が空洞となっている長尺のチューブ状（または筒状）のネット１５１を作製する。このチューブ状ネットは、上述した材料で構成された極めて柔軟性に富みフレキシビリティがあるので、自由に変形できる。この長尺のチューブ状ネットの一端を矢印に示すように他端のチューブ内側に適当な巻き数で挿入する。適度な大きさのボール状（この場合は中心が空いたドーナッツ状）にし、網目状ボールネットを作製した後、結合ひもや連結ひも持ち手ひも等で縛って血行促進部材等と結合する。この結果花形状のフワフワ感のある網目状ボールネット１４１を作製できる。ひもで結んでいるだけなので、形状がくずれた場合や挿入したネット１５１がゆるんだ場合、ひもをほどいてボールネットを作製し直せば良い。ネット１５１が消耗した場合やひもが損傷した場合も、簡単にネット１５１やひもを交換できる。網目の形状は、三角形、矩形、多角形であり、大きさも１ｍｍ〜５ｍｍの網目である。網の繊維の太さは、たとえば０．０１〜１．０ｍｍである。これらは、ネットの柔軟度、泡立ち度、接触感触などで選定することができる。出来上がりの網目状ボールネット１４１の大きさは、身体の大きさや使用部位に合わせて種々選択できるが、作製したボールの直径として概ね５０ｍｍ〜２００ｍｍが使いやすい。
【００２３】
以上説明した様に、本考案は、身体洗浄および健康増進の両方を１つの用具で実現すると同時に、片手で柄（持ち手棒）を持って事故の背中等を洗浄できる身体洗浄健康用具であり、上述した優れた特性および効果を実現するものである。尚、明細書のある部分に記載し説明した内容について記載しなかった他の部分においても矛盾なく適用できることに関しては、当該他の部分に当該内容を適用できることは言うまでもない。さらに、上記実施形態は一例であり、要旨を逸脱しない範囲内で種々変更して実施でき、本考案の権利範囲が上記実施形態に限定されないことも言うまでもない。
【産業上の利用可能性】
【００２４】
本考案の身体洗浄健康用具は、浴用として使用できるだけでなく、水を使用せずに使うこともできる。さらに洗願や手洗いにも使用できる。
【符号の説明】
【００２５】
１１１・・・柄、１３１・・・垢すり用袋カバー、１３３・・・口閉じ紐（縛り紐）、１３４・・・口閉じ紐（縛り紐）、１４１・・・ボールネット、
１４５・・・吊るし紐通し用穴、１４６・・・吊るし紐
【図１】
0003203354.tif 000003
【図２】
0003203354.tif 000004
【図３】
0003203354.tif 000005
【図４】
0003203354.tif 000006
【図５】
0003203354.tif 000007
【図６】
0003203354.tif 000008
【図７】
0003203354.tif 000009